【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
飲料を生成するための分量カプセル（１）において、カプセル基部（３）および充填側（４）を有するカプセル本体（２）であって、粉末または液体飲料の元（１０１）を収容するための空洞（１００）が前記カプセル基部（３）と前記充填側（４）との間に形成されている、カプセル本体（２）と、前記飲料の元（１０１）と前記カプセル基部（３）との間に配置されたフィルター要素（７）であって、前記カプセル基部（３）の領域に配置された不織布である、フィルター要素（７）と、を有しており、前記不織布は、細径プラスチック繊維から作製された不織布材料から構成されていることを特徴とする、分量カプセル。
【請求項２】
前記不織布は、細径ポリエステル繊維から作製された不織布材料からなっており、および／または前記不織布は、４０〜１００ｇ／ｍ２、好ましくは、６０〜８０ｇ／ｍ２、特に好ましくは、実質的に７０ｇ／ｍ２の質量／単位面積を有しており、および／または前記不織布は、０．２０〜０．８ｍｍ、好ましくは、０．２５〜０．３９ｍｍ、特に好ましくは、実質的に０．３２ｍｍの厚みを有しており、および／または前記不織布は、１００パスカルの圧力下における１０００〜３０００Ｌ（ｍ２ｓ）、好ましくは、１５００〜２５００Ｌ（ｍ２ｓ）、特に好ましくは、実質的に２０００Ｌ（ｍ２ｓ）の空気透過率を有していることを特徴とする、請求項１に記載の分量カプセル。
【請求項３】
前記フィルター要素（７）は、好ましくは支持構造体（７．２）の上または内に設けられたフェルト構造体（７．１，７．３）、好ましくは、ニードルフェルト構造体（７．１，７．３）から構成されており、前記フィルター要素（７）は、前記カプセル基部（３）の領域に配置されていることを特徴とする、請求項１の前文に記載の分量カプセル。
【請求項４】
前記フィルター要素（７）は、好ましくは支持構造体（７．２）によって互いに分離された２つのフェルト構造体（７．１，７．３）、好ましくは、ニードルフェルト構造体を有していることを特徴とする、請求項３に記載の分量カプセル。
【請求項５】
前記フィルター要素（７）は、弾性的であり、少なくともその縁領域（７’）において、前記カプセル基部（３）の領域に配置されていることを特徴とする、先行する請求項のいずれか１つに記載の分量カプセル。
【請求項６】
前記フィルター要素（７）は、前記カプセル基部に封止されており、特に超音波によって封止されており、好ましくは、引っ張られるようになっていることを特徴とする、先行する請求項のいずれか１つに記載の分量カプセル。
【請求項７】
前記フィルター要素（７）は、前記空洞（１００）内に配置されており、前記充填側（４）の方を向いた前記カプセル基部（３）の側に位置していることを特徴とする、先行する請求項のいずれか１つまたは請求項１の前文に記載の分量カプセル。
【請求項８】
前記フィルター要素（７）の直径は、前記カプセル基部（３）の直径よりも大きくなっていることを特徴とする、先行する請求項のいずれか１つまたは請求項１の前文に記載の分量カプセル。
【請求項９】
前記フィルター要素（７）は、縁領域（７’）を有しており、前記縁領域（７’）は、実質的に前記充填側（４）の方向に突出しており、および／または前記充填側の方向に屈曲していることを特徴とする、先行する請求項のいずれか１つまたは請求項１の前文に記載の分量カプセル。
【請求項１０】
前記縁領域（７’）は、前記カプセル本体（２）の側壁領域（１０２）に沿って少なくとも部分的に延在しており、前記側壁領域は、前記充填側（４）と前記カプセル基部（３）との間に延在していることを特徴とする、請求項９に記載の分量カプセル。
【請求項１１】
前記フィルター要素（７）は、前記カプセル基部（３）を完全にまたは部分的にのみ覆っていることを特徴とする、先行する請求項のいずれか１つに記載の分量カプセル。
【請求項１２】
前記フォルター要素（７）は、前記カプセル基部（３）に取り付けられており、前記フィルター要素（７）は、好ましくは、前記カプセル基部（３）に付着して取り付けられていることを特徴とする、先行する請求項のいずれか１つに記載の分量カプセル。
【請求項１３】
前記フィルター要素（７）は、前記カプセル基部（３）の縁領域（３’）において、前記カプセル基部（３）に取り付けられており、および／または前記フィルター要素（７）は、前記フィルター要素（７）の縁領域（７’）において、前記側壁領域（１０２）に取り付けられていることを特徴とする、先行する請求項のいずれか１つに記載の分量カプセル。
【請求項１４】
前記カプセル基部（３）は、前記充填側（４）と反対の方向に突起（２１）を有していることを特徴とする、先行する請求項の１つに記載の分量カプセル。
【請求項１５】
前記カプセル基部（３）は、前記カプセル基部（３）が外部穿孔手段（１６）によって穿孔されたとき、前記フィルター要素（７）が穿孔されないように形成されていることを特徴とする、先行する請求項のいずれか１つに記載の分量カプセル。
【請求項１６】
前記フィルター要素（７）は、前記カプセル基部（３）が外部穿孔手段（１６）によって穿孔されたとき、前記フィルター要素（７）が前記カプセル基部（３）から少なくとも部分的に持ち上げられるように形成されていることを特徴とする、先行する請求項のいずれか１つまたは請求項１の前文に記載の分量カプセル。
【請求項１７】
前記フィルター要素（７）は、中心領域（７’’）においてのみ、前記カプセル基部（３）から持ち上げられ、前記カプセル基部（３）の前記縁領域（３’）では、前記カプセル基部（３）上にそのまま置かれているか、または前記カプセル基部（３）に取り付けられた状態で保持されるようになっていることを特徴とする、請求項１６に記載の分量カプセル。
【請求項１８】
前記フィルター要素（７）は、前記カプセル基部（３）が外部穿孔手段（１６）によって穿孔されたとき、前記フィルター要素（７）が、前記フィルター要素の前記中心領域（７’’）および前記フィルター要素（７）の縁領域（７’）において、前記カプセル基部（３）から持ち上げられ、前記充填側（４）の方向に予め突出した前記縁領域は、前記カプセル基部（３）の方向に少なくとも部分的に移動するように、形成されていることを特徴とする、先行する請求項のいずれか１つまたは請求項１の前文に記載の分量カプセル。
【請求項１９】
前記フィルター要素（７）は、材料貯留部（１０３）を有していることを特徴とする、先行する請求項のいずれか１つまたは請求項１の前文に記載の分量カプセル。
【請求項２０】
前記フィルター要素（７）は、前記材料貯留部（１０３）として機能する波形または折畳み領域（１０３’）を有していることを特徴とする、請求項１９に記載の分量カプセル。
【請求項２１】
前記フィルター要素（７）は、前記カプセル基部（３）が外部穿孔手段（１６）によって穿孔されたとき、前記フィルター要素（７）が、前記フィルター要素の前記中心領域（７’’）において、前記カプセル基部（３）から持ち上げられ、前記材料貯留部（１０３）からの前記フィルター要素（７）の材料が、前記中心領域（７’’）の方向に移動するように、形成されていることを特徴とする、請求項１９または２０のいずれかに記載の分量カプセル。
【請求項２２】
前記フィルター要素（７）は、前記カプセル基部（３）が外部穿孔手段（１６）によって穿孔されたとき、前記フィルター要素（７）が開孔され、および／または突き刺されるように形成され、かつ前記カプセル基部に取り付けられるようになっていることを特徴とする、先行する請求項のいずれか１つまたは請求項１の前文に記載の分量カプセル。
【請求項２３】
前記カプセル基部（３）は、所定の破断点（１０４）を有しており、前記破断点（１０４）は、外部穿孔手段（１６）と機械的に接触する結果として、裂開されるようになっていることを特徴とする、先行する請求項のいずれか１つに記載の分量カプセル。
【請求項２４】
前記所定の破断点（１０４）は、前記カプセル基部（３）の中心点（１０６）の周りに星状に配置された複数の脆弱線（１０５）を有しており、前記カプセル基部（３）は、前記脆弱線（１０５）に沿った肉薄材料を有しており、および／または前記脆弱線に沿った切取線孔を有していることを特徴とする、請求項２３に記載の分量カプセル。
【請求項２５】
前記カプセル基部（３）は、好ましくはフィルムまたは箔（１０８）によって封止された出口開口（１０７）を有しており、前記フィルムまたは箔（１０８）は、特に好ましくは、前記フィルムまたは箔を手で引き剥がすための引剥しタブ（１０９）を有していることを特徴とする、先行する請求項のいずれか１つに記載の分量カプセル。
【請求項２６】
分量カプセルを作製するための方法において、フィルター要素（７）が、帯片から切り取られ、好ましくは、ブレードによって、カプセル内に挿入され、基部に装着され、好ましくは、前記基部に封止され、次いで、粉末または紅茶が前記フィルター要素上に充填され、この後、前記カプセルが、カバーフィルムまたは箔によって密封されるようになっていることを特徴とする、方法。
【請求項２７】
先行する請求項のいずれか１つに記載の分量カプセル（１）を用いて、飲料を生成するための方法において、第１の方法ステップにおいて、前記分量カプセル（１）が準備され、第２の方法ステップにおいて、カプセル基部（３）が外部穿孔手段（１６）によって穿孔され、第３の方法ステップにおいて、フィルター要素（７）が前記カプセル基部（３）から少なくとも部分的に離間されるようになっていることを特徴とする、方法。
【請求項２８】
前記第３の方法ステップにおいて、前記フィルター要素（７）は、中心領域（７’’）においてのみ、前記カプセル基部（３）から離間され、前記カプセル基部（３）の前記縁領域（３’）では、前記カプセル基部（３）にそのまま置かれるか、または前記カプセル基部（３）に取り付けられた状態で保持されるようになっていることを特徴とする、請求項２７に記載の方法。
【請求項２９】
前記フィルター要素（７）は、前記中心領域（７’’）が前記カプセル基部（３）から離間したとき、少なくとも部分的に引っ張られるようになっていることを特徴とする、請求項２７または２８のいずれかに記載の方法。
【請求項３０】
前記第３の方法ステップ中に前記中心領域（７’’）が前記カプセル基部（３）から離間したとき、前記充填側（４）の方向に突出している前記フィルター要素（７）の縁領域（７’）が、前記カプセル基部（３）の方向に移動するようになっていることを特徴とする、請求項２７〜２９のいずれか１つに記載の方法。
【請求項３１】
前記第３の方法ステップ中に前記中心領域（７’’）が前記カプセル基部（３）から離間したとき、前記フィルター要素（７）の材料が、前記材料貯留部（１０３）から前記カプセル基部（３）の方向に移動するようになっており、特に、前記フィルター要素（７）の波形または折畳み領域（１０３’）が、少なくとも部分的に平らになるようになっていることを特徴とする、請求項２７〜３０のいずれか１つに記載の方法。
【請求項３２】
飲料、好ましくは、コーヒー、ココア、紅茶、および／またはミルク飲料を生成するための請求項１〜２２のいずれか１つに記載の分量カプセル（１）の使用。